(57)【特許請求の範囲】
【請求項１】
デジタルカラープリントを形成する方法であって、
ａ）  デジタルカラー画像を示す複数のデジタルファイルを形成するために元のカラーフィルムを第1位置でスキャンする段階；
ｂ）  前記デジタルファイルを調整し、トーンスケール補正を含むカラー調整されたデジタルファイルを形成する段階；
ｃ）  前記カラー調整されたデジタルファイルがローカルプリンタでプリントされるようにするコンピューターを動作させるための少なくとも１つのソフトウエアアプリケーションプログラムを含む、プリント動作させるソフトウエアを提供する段階；
ｄ）  前記カラー調整されたデジタルファイル及び前記プリント動作させるソフトウエアを共に、同一のリムーバブル記憶媒体に転送する段階；
e）  前記プリント動作させるソフトウエアによって自動的に制御される、前記コンピューター及び前記ローカルプリンタを含むプリントシステムにおいて前記デジタルプリントを形成するために、前記リムーバブル記憶媒体を第２位置で使用する段階；
を含む方法。
【請求項２】
前記調整する段階が、前記カラー調整されたデジタルファイルにおいて、前記デジタル画像を鮮明化する段階を含む、請求項１に記載された方法。
【請求項３】
前記リムーバブル記憶媒体が、光ディスク又はフラッシュメモリーカードである、請求項１に記載された方法。
【発明の詳細な説明】
【０００１】
関連する出願の相互参照
フレドランド等による特願平８−５３３７９号「処理されるデータと連結した処理アプリケーションを配布する方法及び装置及びシステム」及び、Ｂｕｂｉｅ等による１９９８年８月２８日出願の米国特許出願０９／１４１６８６、”Ｓｅｌｅｃｔｉｎｇ，Ａｒｒａｎｇｉｎｇ，ａｎｄ  Ｐｒｉｎｔｉｎｇ  Ｄｉｇｉｔａｌ  Ｉｍａｇｅｓ  Ｆｒｏｍ  Ｔｈｕｍｂｎａｉｌ  Ｉｍａｇｅｓ”を参考としてここに引用する。
【０００２】
【発明の属する技術分野】
本発明は特定のプリンタによりスキャンされた元のフィルムからデジタルカラープリントを形成することに関する。
【０００３】
【従来の技術】
デジタルカラー画像は電子スチルカメラによりしばしば形成される。それらは適切なカラーフィルタを有する画像センサを含む。アナログ信号はデジタル信号に変換され、しばしばデジタルファイルと称されるデジタル画像が発生される。フロッピー磁気ディスク、ハード磁気ディスクドライブ、一回書き込み光ディスク、デジタルテープ、フラッシュカードなどの、これらのデジタル画像が記憶される多くの記憶装置が存在する。しばしば、ユーザーはデジタルカメラ上にデジタル画像を捕捉し、それらを記憶装置に記憶する。これらの画像は後でホストコンピュータにダウンロードされ、カラーインクジェットプリンタのようなローカルプリンタを用いてプリントされ、又はインターネットを介して遠隔プリントサービスに送られる。
【０００４】
デジタルカラー画像を提供する他のアプローチでは写真フィルムがスキャンされ、デジタル化され、各画像に対するデジタルファイルに変換される。コダックフォトＣＤ（商標）システムはそのようなスキャン、デジタル化、各画像に対するデジタルファイルの提供のための配置の一例である。しばしば、ユーザーはデジタルファイルを提供するために画像をスキャンしデジタル化するサービスを有する。これらのファイルはコダックフォトＣＤディスクのようなメモリ記憶媒体上に提供される。ユーザーはまたこれらの画像ファイルで動作するソフトウエアプログラム又はアプリケーションを購入する。これらのアプリケーションは顧客が好みにより画像にアクセスし、見て、変更し、及び／又はプリントすることを許容する。アドビフォトショップ（商標）は出力画像を形成するプリンタを駆動するためにデジタル画像ファイル上で動作可能なソフトウエアの一例である。フォトショップのようなプリントを形成するために画像で動作するアプリケーションは顧客のフィルム画像が記憶されている同じフォトＣＤディスク上ではなく、むしろ別に提供される。結果として、熟練していないユーザーはホストコンピュータに適切なソフトウエアをロードし、アプリケーション（例えばフォトショップ）をランチし、次に画像を選択し、家庭のプリンタ上でプリントするためにフォトＣＤから所望の画像を一度に一つ開くことが困難である。
【０００５】
多くの家庭プリント配置での問題はそれがしばしば操作者の調整を要求し、彼らは困惑し、膨大な時間がかかることである。この一つの理由は、多数の異なるプリンタ及びそれ用の用紙が存在するからである。プリンタを記憶されたカラーデジタル画像に結合させるために、動作させるソフトウエアが提供されなければならない。高品質プリンターはユーザーがプリントを形成するためにプリンタ変換の特定の型を選択することを許容するプルダウン又は表示メニューを典型的には有する。例えば、アドビフォトショップソフトウエアがエプソンスタイラス（Ｓｔｙｌｕｓ）フォトインクジェットプリンタを駆動するために用いられるときに、エプソンプリンタはフォト、フォトエンハンス、グラフ、テキスト、アドバンストフォトのような多数のユーザー選択可能なモードを有するが、これらのモードはユーザーにより選択されなければならない。これらはフォトＣＤからのようなスキャンフィルムネガから得られたデジタルファイルから連続トーン画像の改善されたプリントを提供するために熟練したユーザーにより用いられ得る。しかしながらこのモードは可能な最良のプリントを提供しない。何故ならばそれらは用いられるプリント用紙を考慮に入れないからである。更にまた、”フォト”モードがフォトＣＤ画像がプリントされるときに自動的に選択されない故に、熟練していないユーザーは連続トーン画像をプリントするときに、”テキスト”又は”グラフ”のような望ましくないモードを不適切に使用し、故に低品質なプリントを形成するおそれがある。
【０００６】
【発明が解決しようとする課題】
本発明の目的はフィルム上に捕捉されたデジタル画像から高品質なデジタルカラープリントを形成する効果的な方法を提供することにある。
本発明の他の目的は操作の適切なプリンターモードを選択する操作者の介入を最小にした高画質デジタルカスタム化カラープリントを形成することにある。  本発明のまた他の目的は新たなコンピュータユーザーがホームコンピュータ上で簡単かつ容易に個人的なデジタル画像を見、プリント用の所望の画像を選択し、家庭のプリンタで可能な最良のプリントを形成することを可能にする配置を提供することにある。
【０００７】
【課題を解決するための手段】
これらの目的は
元のカラーフィルムにある元の画像から、可能な（動作をさせる）ソフトウエアにより操作される特定のプリンタによりデジタルカラープリントを形成する方法であって、
ａ）  デジタル画像のデジタル画像ファイルを形成するために元のカラーフィルムをスキャンし；
ｂ）  濃度及びカラーバランス補正調整を含むカラー調整されたデジタルファイルを形成するために、デジタルファイルのコード値を調整し；
ｃ）  カラー調整されたデジタルファイルとプリント可能なソフトウエアの両方をデジタルメモリに転送し；
ｄ）  プリンタをデジタルメモリに結合し、
変換されたデジタルファイル及びそのような変換されたデジタルファイルを用いてプリントを形成するためにカラー調整されたデジタルファイルを操作するプリント可能なソフトウエアにプリンタを応答させる各段階からなる方法により達成される。
【０００８】
本発明は高品質のカラー化されたデジタルスキャンされたフィルムから形成されたプリントを一貫して形成することを可能にする。少なくとも２つの主な段階が用いられる。スキャンされたデジタル画像は記憶媒体に転送される前にカラー調整される。それは可能なプリントソフトウエアに沿って記憶される。その後で、カラー調整されたデジタル画像は変換され、それによりそれは特定のプリンタと共に動作するようカスタム化される。
【０００９】
本発明によれば、スキャンでの又はその後でのデジタル画像のカラー管理により、及び画像を媒体に可能なソフトウエアと共に記憶し、その後でデジタル画像を特定のプリンタと整合するデジタル画像に変換し、高品質なカラーデジタルプリント画像が形成されるという利点を有する。デジタル画像に第一のカラー調整をなし、次にそれをプリント用に変換する。プリント可能ソフトウエア及びカラー調整されたデジタル画像の両方を磁気ディスク、光ディスク、又はフラッシュメモリカードのような同じ媒体上に記憶することにより、ユーザーは審美的に満足のゆくカラープリントを便利に作成可能である。本発明は操作者調整の必要性を除去し、ユーザーが迅速にカラーデジタル画像を記憶し、それからそれらの記憶されたカラーデジタル画像を審美的に満足のできるプリントに直接変換可能にする。本発明によれば、プリンターモードは自動的に選択され、それにより最良の写真描写を提供するプリントを作成可能である。
【００１０】
【発明の実施の形態】
図１はカラーフィルムをスキャンし、カラー調整されたスキャン画像を記憶媒体に記憶し、プリント可能なソフトウエアを同じ媒体に記憶するために用いられるシステムが示されている。より詳細にはフィルム又はスライド１０のような元の写真がスキャン装置１２によりスキャンされる。このスキャン装置１２は例えば赤、緑、青色画素値の３０７２列と２０４８行のような多数の画素を有するカラーデジタル画像を形成する。本発明で用いられるスキャナーは当業者に良く知られている、例えばコダックＰＣＤ−２０００スキャナーである。米国特許第５２１８４５５；５４６１４９２；５５５５０４２；５５６５９１２号を参照。
【００１１】
スキャナーからのデジタル画像信号はコンピュータワークステーション１４に送られる。これらのデジタル画像信号はワークステーション１４の操作によりカラー調整され、一時的に記憶され、又はＣＤレコーダー１６に直接送られる。ＣＤレコーダー１６はカラー調整されたデジタル画像データ２２が画像プリントを可能にするためにソフトウエア２０に沿って、一回書き込みコンパクトディスク１８に記録される。或いは、ハイブリッドコンパクトディスクが米国特許第５５９５３８９号（ここに参考として引用する）に記載されるように用いられ、ここではソフトウエア２０はディスクが製造された時点で予めプレスされ、デジタル画像２２がフィルムがスキャンされたときにディスクに書き込まれる。コンパクトディスク１８は改善されたプリントを提供するためにユーザーのホームプリンタを較正するのに便利な基準（リファレンス）ストリップ２４付きでユーザーに供給される。
【００１２】
図２の（Ａ）はコンパクトディスク１８に含まれるソフトウエアを用いてコンパクトディスク１８の画像を見て、それから画像をプリントするために用いられる。
一回書き込み（ライトワンス）ディスクであるコンパクトディスク１８はホストコンピュータ４０のリードオンリーメモリ（ＣＤＲ−ＲＯＭ）ドライブ４４に挿入される。或いは画像２２とソフトウエア２０はデジタル画像入力を提供するためにフロッピー磁気ディスク媒体６０に記憶される。このフロッピーディスク６０はフロッピーディスクドライブ４６に挿入される。画像２２とソフトウエア２０はまた除去可能なメモリカード３２に設けられ、図２の（Ａ）に示されるようにこの除去可能なメモリカードはフラッシュＥＰＲＯＭメモリーであり、図２の（Ｂ）に示されるようにスマートプリンター６２に直接挿入される。ＣＰＵ５０はより詳細は図３から６に示される本発明によるソフトウエアを用いるためのものである。このソフトウエアはコンパクトディスク１８、ＣＤレコーダ（ライター）１６又はリムーバブルメモリカード３２からダウンロードされハードドライブ５６に記憶される。ＣＰＵ５０は表示モニタ５２及びキーボード５４に直接結合される。マウス５５はユーザーがＣＰＵ５０と容易に通信を許容する。ＣＰＵ５０はハードコーピープリントを生ずるローカルプリンタ５８と直接通信する。
【００１３】
図３を参照するに、これは本発明による処理のフローチャートを示す。段階１００では、フィルムは図１のフィルムスキャナ１２によりスキャンされる。段階１０２ではフィルム較正変換がなされる。本発明の重要な特徴は段階１０６で媒体上に記憶されたスキャンされたカラーデジタル画像は米国特許第５６０９９７８、５４３２９０６号に記載されるように適切な画像データメトリック（ｍｅｔｒｉｃ）で提供されることであり、これらをここに参考として引用する。適切な画像データメトリックを提供するために、フィルムスキャナ１２は特定のフィルムに対して較正されなければならない。この較正変換１０２は適切に露光されたデジタルフィルム画像を適切な画像データメトリックに変換するためにワークステーション１４で実施される。フィルム画像が露光不足又は過度露光又は正常なフィルム照明条件下で撮影されていない（例えばタングステン光の下で撮影された昼光バランスされたフィルム）場合には画像は理想的でないフィルム製造又は保存問題による他の如何なる条件と同様にこれらの条件を補正するために段階１０４で更に濃度及びカラーバランス調整される。この補正を提供する自動的なアルゴリズムは当業者に良く知られており、従来のコダックフォトＣＤシステムで達成されている。例えば米国特許第４９６９２０４；５５０５２３０；５２２７７８９号を参照。更にまた、図３に示されていないが、画像鮮明化及び圧縮のような他の画像処理機能もまたなされる。
【００１４】
カラー調整されたデジタルファイルは次に例えばユーザーが画像を見、プリントすることを許容するアプリケーションプログラムのような可能なソフトウエア２０に沿って段階１０６でメモリに記憶される。このハイブリッド媒体はコンピュータ１０８に挿入される。デジタルメモリ１８、６０、又は３２は図２に示されるコンピュータ４０の適切なリーダー（読み取り器）４４、４６、４８に挿入される。
【００１５】
例えばコンパクトディスク１８である媒体はＣＤＲＯＭドライブ４４を介してコンピュータシステム４０に挿入されるときに、可能なソフトウエア２０は図４に詳細に説明するように自動的にインストールされ、ランチされる。高品質デジタルカラープリントは最小の操作者の介入で形成される。これは各コンパクトディスク１８に設けられたコードにより自動的に達成される。これらの特徴のあるものを提供するよう特に適合可能なソフトウエア２０はコダックピクチャーイージー（Ｅａｓｙ）３．０である。そのときにコンパクトディスク１８上にあるカラー調整されたデジタル画像はすぐに用い、プリントするためにソフトウエア２０によりアクセスされる。これがなされるように、コンパクトディスク１８がロードされるコンピュータシステム４０はそれがソフトウエア２０でイネーブルされるか否かを決定するためにディスクを評価しなければならない。コンピュータ４０がコダックピクチャーイージー３．０ソフトウエアで既にイネーブルされた場合には、ソフトウエアはすぐに用いる／プリントするためにソフトウエアによりアクセス可能である。コンパクトディスク１８上のカラー調整されたデジタル画像全てをランチする（段階１１０）。コンピュータ４０がコダックピクチャーイージー３．０でイネーブルされない場合には、コダックピクチャーイージー３．０用のソフトウエアインストーラーがコンパクトディスク１８上の画像にアクセス可能なように、コンピュータ４０をイネーブルするようにランチされる。ソフトウエアが段階１１０に示されるようにランチされた後に、プリントされる画像は段階１１２で選択され、段階１１４に示されるプリンタ５８（図２）によりプリントされる。
【００１６】
図４はコダックピクチャーイージー３．０ソフトウエアを用いることを参照して詳細に説明される。段階２１０に示されるように、プリント可能なソフトウエア２０と調整されたデジタル画像２２の両方を含むＣＤ１８はウインドウズ９５、ウインドウズ９８のようなオペレーティングシステムを用いて例えばペンティアム（商標）ＰＣの中でオートランモードで動作される。コンピュータ４０はコンピュータハードドライブ５６を評価する（段階２２０）ためにプログラムをランチする。この評価（段階２３０）はプリントをイネーブルするソフトウエアの配置を示し、ハードドライブ５６上の位置を確定するレジストリキーの存在に対してコンピュータオペレーティングシステムを検索することからなる。プリントイネーブルソフトウエアの存在の決定がなされる（段階２４０）。プリントイネーブルソフトウエアがハードドライブ５６に存在しない場合にはインストレーションプログラム（だんかい２５０）が始動し、それはプリントイネーブルソフトウエアをインストールする。プリントイネーブルソフトウエアがハードドライブ５６に存在する場合には又はちょうどインストールされた（段階２５０）場合にはプリントイネーブルソフトウエアは直接始動される（段階２６０）。プリントイネーブルソフトウエアの始動で調整されたデジタル画像１８は自動的にプリントに利用可能になる。
【００１７】
”プレビュー画像スクリーン”３００（図５に示す）はコンパクトディスク１９から得られたサムネイル画像３０２の二次元配列を示す表示スクリーン５２に示される。サムネイル画像３０２は好ましくはコンピュータディスク１８に記憶されたフルサイズの画像より低い解像度を有する。ユーザーはキーボード５４のコントロールキー（図示せず）又はシフトキー（図示せず）のいずれかを押すことにより複数画像（例えば４画像）を選択できる一方で、マウス５５をサムネイル画像３０２のどの番号でもクリックしうる。図５は４つのサムネイル画像３０２ａ，３０２ｂ，３０２ｃ，３０２ｄ（アウトラインを示す）が選択されたのが示される。ディスク１８が多数のサムネイル画像３０２を含む場合には、”プレビュー画像スクリーン”３００の右側部分の矢印制御３０４がユーザーが多数のサムネイル画像３０２を一群のサムネイル画像３０２（例えば１５のサムネイル画像）を同時に見られるようにするためにスクロールすることを許容する。
【００１８】
一旦サムネイル画像３０２が選択されると、ユーザーは”クロップ”アイコン３１２を選択することにより選択された画像３０２をクロップすることを選びうる。コンピュータは次に画像をトリムすることを許容するようクロップスクリーンを持ち上げる（図示せず）。
ユーザーはどの番号のサムネイル画像３０２でもマウスでクリックしうる一方でキーボード５４のコントロールキー又はシフトキーを再び押すことによりプリントされる付加的な画像（例えば３画像）を選択可能である。
【００１９】
”プレビュー画像スクリーン”３００はまた”ローカルプリント”アイコン３０８及び”スライドショウ”アイコン３１０を含むスクリーンの周辺に一組の機能アイコンを表示する。ユーザーは例えばカラーインクジェットプリンタであるローカルプリンタ５８で”ローカルプリント”アイコン３０８をクリックすることによりこれらの選択された画像全てをプリント可能である。これは図６に示される”プリント機能表示スクリーン”４００へ送り出す。ユーザーは次にレイアウトの型を選択する。ユーザーはページ毎にプリントされる画像の数を例えば１、２、４、９又は１６のうちから選択することにより各ページ上に何枚の画像が現れるかを決定するプリント機能表示スクリーン”４００の周辺のいくつかの所定の”レイアウト”アイコン４０２の一つを選択する。或いは、ユーザーはカスタムレイアウト４０３を選択しても良い。カスタムレイアウト４０３はユーザーが画像のカラム及びロウの数、画像間の水平及び垂直間隔、プリントされたページの上及び左のマージンを特定することを許容する。一旦所定のレイアウトが設定されると、プリントされる画像は”プリント機能表示スクリーン”４００のプリントプレビュー領域４２２に現れる。ページにプリントされる選択された画像の数に基づいて、プログラムはページが最良に埋められるように選択された画像の向きを自動的に選択する。図６は一例として、４枚の画像４２０ａ，４２０ｂ，４２０ｃ，４２０ｄを示しこれは図５の選択されたサムネイル画像３０２ａ，３０２ｂ，３０２ｃ，３０２ｄにそれぞれ対応する。
【００２０】
次に、ユーザーは各ページに同じ又は異なる画像のいずれを現れるようにするかを選択する。同じ一の画像を一のページに繰り返しプリントする（例えばページ毎に一の画像の４枚のコピー）場合にはユーザーは”グルーピング”アイコン４０４を選択する。或いは選択された画像の全てをプリントされるページに現れるようにする場合には（例えば４つの異なる画像を一ページに）、ユーザーは”コレート（ｃｏｌｌａｔｉｎｇ）”アイコン４０６を選択しても良い。
【００２１】
ユーザーは次にアイコン４１０の右側の上下の矢印キーを用いて”プリント機能表示スクリーン”４００の左側部分のテキストフィールド４０８に望ましい組の数をタイプすることにより各レイアウトページの例えば３枚のコピーをプリントするために画像の組の数を選択する。これらの選択をなした後に、ユーザーは”すぐにプリント（ｐｒｉｎｔ  ｎｏｗ）”アイコン４１０を押して、ホストコンピュータ１４から離れる。選択された画像のそれぞれは更なるユーザーとの対話を必要とせずにローカルプリンタ５８で自動的にプリントされる。
【００２２】
このプログラムは画像の大きさを計算することによりプリントされたレイアウトを用意し、これは選択された画像の数をページに適合させ、プリントされるページにランドスケープ方向の画像とポートレイト方向の画像を共に適合させるように必要な場合には選択された画像を回転することを可能にする。画像データは画像の選択された数でページを満たすために適切な画像データを提供するよう自動的に補間され、又はデシメートされる。このプロセスで、プログラムはまたページをそれぞれの画像に切断するのを容易にするために画像間に位置する”白い空間”を計算する。換言するとプログラムは水平、垂直方向に選択された画像の数を計算し、”白い空間”で選択された画像を分離するために水平垂直方向に選択された画像の大きさを計算する。画像がプリントされたときに、画像の向きは画像の選択された数に基づき最も良く”ページを満たす”ようにプリントされる。
【００２３】
ＰＣカードフラッシュ及びコンパクトフラッシュカードリーダー４８の一例はカナダのＳｕｎｎｙｖａｌｅのＩｎｎｓｂｒｕｃｋ  Ｄｒｉｖｅ  １２６９のＡｃｔｉｏｎＴｅｃ  Ｅｌｅｃｔｒｏｎｉｃｓ社から市販されている”ＣａｍｅｒａＣｏｎｅｃｔ”（ＴＭ）である。除去可能なメモリカード３２の例はＳａｎＤｉｓｃ社製のフラッシュメモリバーサ（Ｖｅｒｓａ）カードモデル＃Ｐ−ＣＦ０３０−ＰＡ、ＣＯＭＰＡＣＴＦＬＡＳＨ（ＴＭ）であり、これは米国特許第５０７００３２；５１７２３３８；５２６８８７０；５２７９１４８号に記載されている。
【００２４】
【実施例】
例１
一連のフィルムネガ及びスライドはまずコダックフォトＣＤスキャナを用いてスキャンされる。デジタル画像はフォトＣＤソフトウエアを用いてカラー調整される。カラー調整されたデジタル画像は次にフラッシュピックス（Ｆｌａｓｈｐｉｘ）画像ファイルとして光学的一回書き込みコンパクトディスクに転送される。
【００２５】
この一回書き込みコンパクトディスクにはコダックピクチャーイージー３．０として知られているプリントイネーブルソフトウエアが転送され、それによりこのコンパクトディスクはカラー調整されたディジタル画像及びプリント可能ソフトウエアの両方を含む。
このコンパクトディスクは次にゲートウエイ２０００コンピュータに挿入され、コダックピクチャーイージーソフトウエアはディスクからインストールされる。
【００２６】
コダックピクチャーイージーソフトウエアを用いて、カラー調整されたデジタル画像はコンパクトディスクから読み出され画像操作されずにエプソンスタイラスフォトインクジェットプリンタに送られる。数分間でプリントされた画像がコダックインクジェットペーパー上に得られ、非常に高品質である。
例２
一連のフィルムネガ及びスライドはまずコダックフォトＣＤスキャナを用いてスキャンされる。デジタル画像はフォトＣＤソフトウエアを用いてカラー調整される。カラー調整されたデジタル画像は次に３０ＭＢフラッシュメモリバーサ（Ｖｅｒｓａ）カードに”ＣａｍｅｒａＣｏｎｅｃｔ”（ＴＭ）ＰＣカード及びコンパクトフラッシュカードリーダー及びゲートウエイ２０００コンピュータを用いて転送され、フラッシュピックス（Ｆｌａｓｈｐｉｘ）画像ファイルに記憶される。
【００２７】
この同じフラッシュメモリカードにはコダックピクチャーイージー３．０として知られているプリントイネーブルソフトウエアが転送され、それによりこのフラッシュメモリカードはカラー調整されたディジタル画像及びプリント可能ソフトウエアの両方を含む。
このフラッシュメモリカードは次にコンピュータに使用され、コダックピクチャーイージーソフトウエアにアクセスされる。
【００２８】
コダックピクチャーイージーソフトウエアを用いて、カラー調整されたデジタル画像はフラッシュメモリカードから読み出され画像操作されずにエプソンスタイラスフォトインクジェットプリンタに送られる。数分間でプリントされた画像がコダックインクジェットペーパー上に得られ、非常に高品質である。
例３
スキャンされたフィルム画像及びプリント可能ソフトウエアを含む例２のフラッシュメモリカードはパナソニックフォトプリンタＰＶ−ＰＤ２０００に挿入される。この場合に、デジタル画像はプリンタにより読み取られ、その感熱紙に直接プリンとされる。下のスキャンされたフィルム画像が高画質である故に、最終的なプリントはまた高画質である。
【００２９】
本発明は上記の段階により製造された読み取り可能な記憶媒体からなるメモリ記憶製品を製造するために特に有用である。メモリ記憶製品はプリンタ６２により直接利用可能なフラッシュＥＰＲＯＭメモリを用いた除去可能なメモリカード３２であり、又あるいは例えば磁気ディスク（フロッピーディスクのような）又は磁気テープのような磁気記憶媒体、又は光ディスク、光テープのような光記憶媒体、又は機械読み取り可能なバーコード、ランダムアクセスメモリ（ＲＡＭ）又はプログラマブルリードオンリーメモリ（ＰＲＯＭ）のような固体電子記憶デバイス、又はプリンタを動作させるために用いられる他の物理的媒体又はデバイスからなる。
【００３０】
本発明はその特に好ましい実施例を特に参照して詳細に説明してきたが、変更及び改良は本発明の精神及び範囲内でなされうる。
【図面の簡単な説明】
【図１】カラーフィルムをスキャンし、記憶媒体にカラー調整されたスキャンされた画像を記憶し、同じ媒体にプリント可能なソフトウエアを記憶するために用いられるシステムを示す。
【図２】（Ａ）にコンパクトディスクに含まれるソフトウエアを用いるコンパクトディスクから画像を見てプリントするために用いられるシステムを示し、（Ｂ）にスマートプリンタにメモリカードを挿入する特徴を示す。
【図３】スキャンされたフィルムから選択されたカスタム化された画像をプリントするフローチャートを示す。
【図４】図３に示されたブロック１１０の詳細なフローチャートを示す。
【図５】記憶媒体上に提供されたソフトウエアを用いて記憶媒体上に記憶された一群のサムネイル画像を表示するコンピュータ表示スクリーンである。
【図６】プリント機能表示スクリーンを示すコンピュータ表示のブロック図である。
【符号の説明】
１０  スライド
１２  フィルムスキャナ
１４  コンピュータワークステーション
１６  ＣＤレコーダ
１８  コンパクトディスク
２０  イネーブルソフトウエア
２２  カラー調整されたデジタル画像データ
２４  基準ストリップ
３２  除去可能フラッシュメモリカード
４０  ホストコンピュータ
４４  ＣＤ−ＲＯＭドライブ
４６  フロッピーディスクドライブ
４８  メモリカードリーダー
５０  ＣＰＵ
５４  キーボード
５５  マウス
５６  ハードドライブ
５８  ローカルプリンタ
６０  フロッピーディスク
６２  ”スマート”プリンタ
３００  プレビューピクチャースクリーン
３０２，３０２ａ，３０２ｂ，３０２ｃ，３０２ｄ  サムネイル画像
３０４  矢印コントロール
３０８、３１０、３１２、４０２、４０４、４０６、４１０  アイコン
４００  プリント機能表示スクリーン
４０３  カスタムレイアウト
４０８  テキストフィールド
４０２ａ，４０２ｂ，４０２ｃ，４０２ｄ  画像
４２２  プリントプレビュー領域
【図１】
0004673461.tif 000002
【図２】
0004673461.tif 000003
【図３】
0004673461.tif 000004
【図４】
0004673461.tif 000005
【図５】
0004673461.tif 000006
【図６】
0004673461.tif 000007